(57)【特許請求の範囲】
【請求項１】
両平板面のなす内角が約１２０度となるように折曲された折板状の隔壁板と、該隔壁板の外側面に覆うように配設されるエアバッグとからなり、前記隔壁板の上端縁に補強用のアングルを固着し、該アングルに吊上用の引掛金具を突設するとともに、３つの該隔壁板を互いに両側縁で着脱自在に連結することにより六角筒状の組立体を形成し、該組立体をコンクリートパイル中に装入して該エアバッグを膨脹させることにより該組立体を該コンクリートパイル中に隙間なく設定し得るようにしたことを特徴とするパイル内セメント抜取用具。
【請求項２】
アングルに隔壁板の外方へ拡張するフラップを取着してなる請求項１に記載のパイル内セメント抜取用具。
【請求項３】
隔壁板の下端縁に外方へ拡張するフランジ部を設けた請求項１または２に記載のパイル内セメント抜取用具。
【発明の詳細な説明】
【０００１】
【発明の属する技術分野】
本発明は、建築物の基礎として地中に埋設されるコンクリートパイル内に予め設定しておくことにより、該コンクリートパイルの上部に支柱樹立用の縦孔を簡単に開設することのできるパイル内セメント抜取用具に関するものである。
【０００２】
【従来の技術】
中空のコンクリートパイルの上部に円筒形の紙筒を予め設けておき、該コンクリートパイルを回転埋設杭打ち工法により地中に埋設してセメント養生後に該紙筒を堀削重機で吊り上げてコンクリートパイル内から抜脱することによりコンクリートパイルの上部に支柱樹立用の縦孔を開設する方法は特公平７−３０５４６，特公平７−３０５４８（いずれも本出願人の出願に係るもの）等の特許公報により知られている。
【０００３】
【発明が解決しようとする課題】
しかし従来のこのように紙筒を引き上げて硬化したセメントを引き抜く方法では、その紙筒やビニールシート等が使い捨てとなり、これらの異物が硬化セメントに固着した状態の廃棄物が大量に出来るために、その処理に困難が伴い処理コストが掛かるという問題が生じて来ている。
【０００４】
また、上記特許公報に開示されたパイル内セメント抜取用具は、組立の工程が多く製作に手間が掛かるため短期間に多数を作ることができず、しかも非常に嵩張り、紙筒が雨に濡れないようにしなければならないことも相俟って、輸送，保管等のコストが非常に掛かるものであった。
【０００５】
さらには、従来の紙筒はコンクリートパイル内に配置するに際して、パイル内面との間に隙間が出来易いので、その隙間に未硬化セメントが侵入して固結するという問題があり、そのままでは支柱支持強度を劣化させるので、硬化セメントを引抜いた後にパイル内の内面を削る作業が必要となるなど作業性にも問題があった。
【０００６】
【課題を解決するための手段】
本発明のパイル内セメント抜取用具は上記課題を解決しようとするもので、両平板面のなす内角が約１２０度となるように折曲された折板状の隔壁板と、該隔壁板の外側面に覆うように配設されるエアバッグとからなり、前記隔壁板の上端縁に補強用のアングルを固着し、該アングルに吊上用の引掛金具を突設するとともに、３つの該隔壁板を互いに両側縁で着脱自在に連結することにより六角筒状の組立体を形成し、該組立体をコンクリートパイル中に装入して該エアバッグを膨脹させることにより該組立体を該コンクリートパイル中に隙間なく設定し得るようにしたことを特徴とする。
また、本発明は上記パイル内セメント抜取用具において、アングルに隔壁板の外方へ拡張するフラップを取着してなることを特徴とする。
また、本発明は上記パイル内セメント抜取用具において、隔壁板の下端縁に外方へ拡張するフランジ部を設けたことを特徴とする。
【０００７】
【発明の実施の形態】
次に図面と共に本発明の実施の形態を説明する。図１にこのパイル内セメント抜取用具を構成する３つの隔壁板１ａ，１ｂ，１ｃとエアバッグ２ａ，２ｂ，２ｃを斜視図にて示し、図２にそのＡ−Ａ線断面を示し、図３にはその分解斜視図を示す。隔壁板１ａ，１ｂ，１ｃは、両平板面３，４を内角が１２０度となるようにステンレス板を折曲すると共に、該各平板面３，４の上端縁に横断面「状のアングル５，５を溶接により夫々固着している。そして、該アングル５，５の上面に吊上用の引掛金具６を溶接により取着して突設している。なお、７は該アングル５，５に内側縁を接着することにより該隔壁板１ａ，１ｂ，１ｃの外方に拡張するような形態で取付けられた円弧状のフラップで、該フラップ７はゴム引布等のフレキシブルな材料で形成されている。
【０００８】
また、隔壁板１ａ，１ｂ，１ｃの下端縁には平面板３，４を外方に折曲することによりフランジ部８が形成される。なお、９，９は平面板３，４の下端縁内面に補強のため溶接より固着された横断面「状の小径のアングルである。
【０００９】
また、各隔壁板１ａ，１ｂ，１ｃの一方の側縁１０は外側にその内角が１２０度をなすように折曲している。また、該各隔壁板１ａ，１ｂ，１ｃの他方の側縁１１は内側にその内角が１２０度をなすように折曲すると共に、その折曲線の内側に内角が１２０度で折曲されたリブ１２を溶接している。そして、側縁１０に水平方向に突出する係合片１３を設けると共に、側縁１１に該係合片１３が遊挿し得る切欠１４および係合片１５を設けている。なお、１６は係合用の鉤状棒である。また１７は各隔壁板１ａ，１ｂ，１ｃの外側面に止着されたエアバッグ止着用のワイヤである。
【００１０】
またエアバッグ２ａ，２ｂ，２ｃは、夫々ゴムまたはビニール等の可撓性材料により隔壁板１ａ，１ｂ，１ｃの外側面を覆い得る大きさに形成され、上端面には空気吹込用の栓付チューブ１８が突設されている。そして内側に設けられた止片１９に前記ワイヤ１７を挿通することにより該各エアバッグ２ａ，２ｂ，２ｃを各隔壁板１ａ，１ｂ，１ｃの外側面に係留できるようにしている。
【００１１】
この抜取用具を使用するに際しては、該各隔壁板１ａ，１ｂ，１ｃの側縁１０を相隣わる隔壁板の側縁１１，リブ１２間に合着させると共に、係合片１３を切欠１４に挿入し、該係合片１３および係合片１５に開設された係合孔に鉤状棒１６を挿通し各隔壁板１ａ，１ｂ，１ｃを連結することにより、図１，図２に示したように六角筒状の組立体２０を形成し、該各隔壁板１ａ，１ｂ，１ｃの外側に夫々エアバッグ２ａ，２ｂ，２ｃを係留し栓付チューブ１８をフラップ７に開設された透孔から上方に突出させる。
【００１２】
そして、該組立体２０をコンクリートパイル２１中にその上端部より装入し、空気ポンプにより栓付チューブ１８から空気を圧送することにより各エアバッグ２ａ，２ｂ，２ｃを膨脹させコンクリートパイル２１の内面および組立体２０の外面に密着させる。そのとき該エアバッグ２ａ，２ｂ，２ｃの上端部はフラップ７に、下端部はフランジ部８に夫々当接する。これによってコンクリートパイル２１の内面と組立体２０の外面との隙間が膨脹した各エアバッグにより塞がれる。そして図４に示したように該コンクリートパイル２１を未硬化セメントが予め充満している地中堀削孔中に打込むと、堀削孔中の未硬化セメントは該コンクリートパイル２１の中空孔中を上昇し、組立体２０内にも充満する。このときコンクリートパイル２１内面との隙間はエアバッグ２ａ，２ｂ，２ｃにより塞がれているため未硬化セメントが侵入することはない。
【００１３】
そしてセメントを養生させた後に、栓付チューブ１８を開いて空気を抜き各エアバッグ２ａ，２ｂ，２ｃを収縮させ、引掛金具６にクレーン等のワイヤを引掛けて図５に示したように組立体２０を吊り上げることにより該組立体２０内の硬化セメントはアングル９付近にて分離しコンクリートパイル２１外に抜き出されコンクリートパイル２１中に支柱樹立用の縦孔２２を開設することができる。
【００１４】
こうして抜き出された組立体２０内の硬化セメントは、鉤状棒１６を外し３つの隔壁板１ａ，１ｂ，１ｃに分解することにより容易に離脱できる。このためその硬化セメント塊のみを廃棄でき、隔壁板１ａ，１ｂ，１ｃおよびエアバッグ２ａ，２ｂ，２ｃは繰り返し使用できる。
【００１５】
なお、フラップ７はエアバッグ２ａ，２ｂ，２ｃを建築現場における溶接の火花等から保護するのに有効である。また、フランジ部８はコンクリートパイル２１中を上昇する未硬化セメントを組立体２０内にガイドしエアバッグ２ａ，２ｂ，２ｃの下端部を保護するのに有効である。
また、このパイル内セメント抜取用具では、３つの隔壁板１ａ，１ｂ，１ｃにより六角筒状の組立体２０が形成されるようにしたので、各隔壁板１ａ，１ｂ，１ｃの製作が容易になると共に、組立，分解が容易となり作業性を向上させる。
【００１６】
【発明の効果】
このように本発明のパイル内セメント抜取用具は、繰り返し使用できるので、コストが軽減されると共に、分解状態で輸送，保管等ができるので嵩ばらず、また分解，組立作業も容易である。しかもコンクリートパイル内に隙間なく配設できるので、硬化セメント抜取後のパイル内面の削り作業を要しないと共に、廃棄物の処理も紙類等の異物が混在しないので容易になるなど種々の有益な効果がある。
【図面の簡単な説明】
【図１】本発明に係るパイル内セメント抜取用具の斜視図。
【図２】図１のＡ−Ａ線断面図。
【図３】本発明に係るパイル内セメント抜取用具の分解斜視図。
【図４】本発明に係るパイル内セメント抜取用具の使用状態を示した縦断面図。
【図５】本発明に係るパイル内セメント抜取用具の使用状態を示した縦断面図。
【符号の説明】
１ａ，１ｂ，１ｃ    隔壁板
２ａ，２ｂ，２ｃ    エアバック
３，４              平板面
５                  アングル
６                  引掛金具
７                  フラップ
８                  フランジ部
９                  アングル
１０                側縁
１１                側縁
１２                リブ
１３                係合片
１５                係合片
１８                栓付チューブ
２０                組立体
２１                コンクリートパイル
２２                縦孔
【図１】
0003911065.tif 000002
【図２】
0003911065.tif 000003
【図３】
0003911065.tif 000004
【図４】
0003911065.tif 000005
【図５】
0003911065.tif 000006